(57)【要約】【課題】洗浄後の汚れの再付着を防止し、かつ、フィルターを取り外すことなく、かつ、乾燥し固着したフィルターの油や埃などの汚れを手間なく除去することを目的とする。【解決手段】フィルター１１の一部を洗浄タンク１２に浸漬させるよう構成して、洗浄タンク１２に水を溜め、フィルター１１を浸漬し、駆動モーター１３により回転させることで、汚れがフィルター１１の表面から剥がれやすい状態をつくりだし、噴射ノズル１７より水を噴射することでフィルター１１の表面の汚れや浸漬後に再付着した汚れを除去し、固着した油や埃などの強固な汚れも手間なく洗浄することができ、また、貯水した水を排水可能なため、洗浄タンク内部を乾燥させることができ、清潔に保つことができるレンジフードが得られる。【選択図】図１
2008209108.tif 000002
【特許請求の範囲】
【請求項１】
調理器の上方または周囲に設置され、汚染された空気を吸込む吸込口と屋外に連通した排出口と排気送風用の排気ファンとモーターを内包した送風ケーシングとを連通して通風路を設けたフードと、前記吸込口下流側に駆動手段により回転する円盤状のフィルターと、前記フィルターを包囲する清浄ケーシングと、水を貯水ならびに排水する機能を有する洗浄タンクと、前記フィルターに水を噴射するノズルと、前記ノズルと前記洗浄タンクに水を供給する給水手段とを有し、前記フィルターの一部を前記洗浄タンクに浸漬させるように配設したことを特徴とするレンジフード。
【請求項２】
フィルターに、親水処理もしくは撥水処理を施したことを特徴とする請求項１記載のレンジフード。
【請求項３】
洗浄タンクに、親水処理もしくは撥水処理を施したことを特徴とする請求項１記載のレンジフード。
【請求項４】
清浄ケーシングに、親水処理もしくは撥水処理を施したことを特徴とする請求項１記載のレンジフード。
【請求項５】
ノズルに、親水処理もしくは撥水処理を施したことを特徴とする請求項１記載のレンジフード。
【請求項６】
ノズルからの給水によって、洗浄タンクへの水の供給を可能とすることを特徴とする請求項１または５記載のレンジフード。
【請求項７】
洗浄タンクの上下移動を可能にしたことを特徴とする請求項１または３記載のレンジフード。
【請求項８】
フィルターの上下移動を可能にしたことを特徴とする請求項１または２記載のレンジフード。
【請求項９】
ノズルを、洗浄タンクへ埋没させるように配置したことを特徴とする請求項１記載のレンジフード。
【請求項１０】
給水手段に、油を分解させる洗剤の添加装置を備えることを特徴とする請求項１記載のレンジフード。
【請求項１１】
給水手段に、加熱装置を備えることを特徴とする請求項１記載のレンジフード。
【請求項１２】
給水手段の給水時間、給水量、駆動手段の回転速度や回転時間を制御する制御手段を有することを特徴とする請求項１〜１１のいずれかに記載のレンジフード。
【発明の詳細な説明】
【技術分野】
【０００１】
本発明は、レンジフードに取り付けるフィルターの汚れ除去に関する。
【背景技術】
【０００２】
従来より、レンジフードには調理で発生する油煙や埃等を捕集する目的として、フィルターもしくはバッフル板などが取り付けられていた。このフィルターやバッフル板は使用とともに汚れが付着するため、油煙捕集性能が低下したり、捕集部から油垂れが生じるため、定期的な掃除を行う必要があった。
【０００３】
また、これら掃除の手間を軽減する目的でフィルターを自動的に浄化する手段として、フィルターの駆動手段と、フィルターを浸漬できる洗浄タンクとを設け、フィルターを洗浄タンクに浸漬させた状態で回転させることにより、汚れを除去する方法があった（例えば、特許文献１参照）。
【０００４】
以下、その排気装置について、図４を参照しながら説明する。
【０００５】
図４に示すように、吸込口１０１とファン１０２との間に設けられるフィルター１０３とを備えてなるレンジフードにおいて、略水平に位置する回転軸１０４によりフィルター１０３を回転自在に設け、回転軸１０４より下方に位置するフィルター１０３が洗浄液１０５に浸漬されるよう洗浄タンク１０６を設けており、フィルター１０３を回転させて油、埃等により汚れた部分を回転軸１０４より下方に位置させ、洗浄タンク１０６内の洗浄液１０５に油、埃等により汚れた部分を浸漬させることにより洗浄を行っている。
【特許文献１】特開平６−１３７６３０号公報
【発明の開示】
【発明が解決しようとする課題】
【０００６】
このような従来のレンジフードでは、洗浄後に洗浄液内に浮遊している汚れがフィルターに再付着し、次第にフィルターが汚れて目詰まりを起こし、レンジフードの性能が低下する。
【０００７】
また、洗浄タンクに洗浄液が常に貯水されたままであり、衛生上良くない。
【０００８】
本発明では、このような従来の課題を解決するものであり、洗浄液内に浮遊している汚れがフィルターに再付着せず性能低下を防止できるレンジフードを提供することを目的としている。
【課題を解決するための手段】
【０００９】
本発明のレンジフードは、上記目的を達成するために、調理器の上方または周囲に設置され、汚染された空気を吸込む吸込口と屋外に連通した排出口と排気送風用の排気ファンとモーターを内包した送風ケーシングとを連通して通風路を設けたフードと、前記吸込口下流側に駆動手段により回転する円盤状のフィルターと、前記フィルターを包囲する清浄ケーシングと、水を貯水ならびに排水する機能を有する洗浄タンクと、前記フィルターに水を噴射するノズルと、前記ノズルと前記洗浄タンクに水を供給する給水手段とを有し、前記フィルターの一部を前記洗浄タンクに浸漬させるように配設したものである。
【００１０】
この手段によって、汚れがフィルター表面から剥がれやすい状態を作り出し、ノズルより水を噴射して汚れを除去し固着した油や埃などの頑固な汚れも手間なく洗浄することができる。すなわち、フィルター洗浄時に洗浄タンクに溜まった水にフィルターが浸漬され、フィルター面に固着した汚れが剥がれやすい状態をつくりだし、ノズルにより噴射した水により汚れを簡単に除去することができる。また、排水手段により洗浄後の汚水を排水することができ、洗浄タンク内を乾燥させ、清潔に保つことができるレンジフードが得られる。
【００１１】
また、他の手段は、フィルターに、親水処理もしくは撥水処理を施したものである。
【００１２】
この手段の親水処理により、フィルター洗浄時にフィルター面に固着した汚れが剥がれやすくなるため、汚れを簡単に除去することができるレンジフードが得られる。また、この手段の撥水処理により、フィルター面に汚れが付着しにくくなるため、洗浄時間が短縮され、容易に洗浄することができるレンジフードが得られる。
【００１３】
また、他の手段は、洗浄タンクに、親水処理もしくは撥水処理を施したものである。
【００１４】
この手段の親水処理により、フィルター洗浄時に洗浄タンク内に付着した汚れが剥がれやすくなるため、汚れを排水と共に容易に排出することができ、洗浄タンク内部がきれいな状態に保たれるため、洗浄タンクの掃除を省略することができるレンジフードが得られる。
【００１５】
また、この手段の撥水処理により、洗浄タンク内に汚れが付着しにくくなり、フィルター洗浄時に汚れを排水と共に容易に排出することができ、洗浄タンク内部がきれいな状態に保たれるため、洗浄タンクの掃除を省略することができるレンジフードが得られる。
【００１６】
また、他の手段は、清浄ケーシングに、親水処理もしくは撥水処理を施したものである。
【００１７】
この手段の親水処理により、フィルター洗浄時に清浄ケーシング内に付着した汚れが剥がれやすくなり、フィルターから飛散した水分とともに汚れが排出されるため、清浄ケーシング内部はきれいな状態に保たれ、清浄ケーシング内部の掃除を省略できるレンジフードが得られる。
【００１８】
また、この手段の撥水処理により、フィルター洗浄時に洗浄タンク内に汚れが付着しにくくなり、フィルターから飛散した水分とともに汚れが排出されるため、清浄ケーシング内部はきれいな状態に保たれ、清浄ケーシング内部の掃除を省略できるレンジフードが得られる。
【００１９】
また、他の手段は、ノズルに、親水処理もしくは撥水処理を施したものである。
【００２０】
この手段の親水処理により、フィルター洗浄時にノズルに付着した汚れが剥がれやすくなり、ノズルの汚れを軽減することができ、掃除が容易になるレンジフードが得られる。
【００２１】
また、この手段の撥水処理により、ノズルに汚れが付着しにくくなり、ノズルの汚れを軽減することができ、掃除が容易になるレンジフードが得られる。
【００２２】
また、他の手段は、ノズルからの給水によって、洗浄タンクへの水の給水を可能としたものである。
【００２３】
この手段により、省スペース、コストダウンを実現することができるレンジフードが得られる。すなわち、給水タンクからの水を洗浄タンク内に溜めるための水路とノズル噴射のための水路を別々に確保する必要がなくなり、省スペース、コストダウンを実現することができるレンジフードが得られる。
【００２４】
また、他の手段は、洗浄タンクの上下移動を可能にしたものである。
【００２５】
この手段により、風路内に洗浄タンクが存在することによる風量低下および騒音上昇を低減できる。また、洗浄タンクを通風路より隠すこと、すなわち通風路を避けて配置することができ、洗浄タンクの汚れを防止することができ、掃除の手間を省くことができるレンジフードが得られる。
【００２６】
また、他の手段は、フィルターの上下移動を可能にしたものである。
【００２７】
この手段により、風路内に洗浄タンクが存在することによる風量低下および騒音上昇を低減できる。すなわち、フィルター洗浄時にフィルターを移動させ、通風路を避けて配置した洗浄タンクに浸漬させることができるので、通常の排気時にはフィルター全面を通風路として使用することができ、風量低下および騒音上昇を低減できる。
【００２８】
また、他の手段は、噴射ノズルを、洗浄タンクへ埋没させるように配置したものである。
【００２９】
この手段により、ノズルが汚染された空気の通風路から除かれるため、ノズルの外側に汚れが付着しなくなり、ノズルの外側の掃除を省略できるレンジフードが得られる。
【００３０】
また、他の手段は、油を分解させる洗剤の添加装置を備えたものである。
【００３１】
この手段により、洗浄能力を向上させることができ、頑固な汚れでも手間無く洗浄できるレンジフードが得られる。
【００３２】
また、他の手段は、ノズルおよび洗浄タンクへ供給される水を加熱する加熱装置を備えたレンジフードが得られる。
【００３３】
この手段により、気温の低い冬場でも洗浄能力を高い状態に保つことができるため、一年を通してきれいな状態を保つことができるレンジフードが得られる。すなわち、ノズルおよび洗浄タンクへの給水温度を上げることができ、フィルターの洗浄能力の安定したレンジフードが得られる。
【００３４】
また、他の手段は、給水手段の給水時間、給水量、駆動手段の回転速度や回転時間を制御する制御手段を有するものである。
【００３５】
この手段により、水の給水量や駆動手段の回転時間を最適化できるため、ランニングコストを抑えることができるレンジフードが得られる。
【発明の効果】
【００３６】
本発明によれば、汚れたフィルター表面に固着した油や埃などの頑固な汚れも手間なく洗浄することができる効果を有するレンジフードを提供することができる。
【００３７】
また、洗浄タンク内を乾燥させ、清潔に保つことができる。
【００３８】
また、フィルター面に汚れが付着しにくくなるため、洗浄時間が短縮され、容易に洗浄することができる。
【００３９】
また、汚れを排水と共に容易に排出することができ、洗浄タンク内部がきれいな状態に保たれるため、掃除を省略することができる。
【００４０】
また、清浄ケーシング内部の掃除を省略できる。
【００４１】
また、ノズルの汚れを軽減することができる。
【００４２】
また、省スペース、コストダウンを実現することができる。
【００４３】
また、風量低下および騒音上昇を低減できる。
【００４４】
また、洗浄タンクを通風路より隠すことができ、洗浄タンクの汚れを防止することができる。
【００４５】
また、水の給水機構を簡素化でき、省スペース、コストダウンを実現できる。
【００４６】
また、洗浄能力を向上させることができ、頑固な汚れでも手間無く洗浄できる。
【００４７】
また、気温の低い冬場でも洗浄能力を高い状態に保つことができるため、一年を通してきれいな状態を保つことができる。
【００４８】
また、ランニングコストを抑えることができる。
【発明を実施するための最良の形態】
【００４９】
本発明の請求項１記載のレンジフードは、調理器の上方または周囲に設置され、汚染された空気を吸込む吸込口と屋外に連通した排出口と排気送風用の排気ファンとモーターを内包した送風ケーシングとを連通して通風路を設けたフードと、前記吸込口下流側に駆動手段により回転する円盤状のフィルターと、前記フィルターを包囲する清浄ケーシングと、水を貯水ならびに排水する機能を有する洗浄タンクと、前記フィルターに水を噴射するノズルと、前記ノズルと前記洗浄タンクに水を供給する給水手段とを有し、前記フィルターの一部を前記洗浄タンクに浸漬させるように配設したものであり、洗浄タンクに水を溜め、フィルターを浸漬し、駆動手段により回転させることができ、汚れたフィルター表面から剥がれやすい状態を作り出し、ノズルより水を噴射して汚れを除去し固着した油や埃などの頑固な汚れも手間なく洗浄することができるという作用を有する。
【００５０】
また、排水手段により洗浄後の汚水を排水することができ、洗浄タンク内を乾燥させ、清潔に保つことができるという作用を有する。
【００５１】
また、フィルターに、親水処理もしくは撥水処理を施したものであり、洗浄タンクでも浸漬およびノズルでの噴射による水により、フィルターに付着した汚れをはがしやすくすることができるという作用を有する。
【００５２】
また、洗浄タンクに、親水処理もしくは撥水処理を施したことものであり、洗浄タンクへの給水、洗浄タンクからの排水によって付着した汚れを剥がれやすくすることができるという作用を有する。
【００５３】
また、清浄ケーシングに、親水処理もしくは撥水処理を施したものであり、フィルターより飛散した汚れが付着した清浄ケーシング内部の汚れを剥がれやすくすることができるという作用を有する。
【００５４】
また、ノズルに、親水処理もしくは撥水処理を施したものであり、水を噴射する際の水分により、ノズルに付着した汚れを剥がれやすくすることができるという作用を有する。
【００５５】
また、ノズルからの給水によって、洗浄タンクへの水の給水を可能としたものであり、ノズルおよび洗浄タンクへの水の給水機構を簡素化できるという作用を有する。
【００５６】
また、洗浄タンクの上下移動を可能にしたものであり、排気運転時に通風路を確保することができ、排気ファンの圧力損失を低減することができ、結果として風量低下および騒音を低減することができるという作用を有する。
【００５７】
また、フィルターの上下移動を可能にしたものであり、排気運転時に通風路を確保することができ、排気ファンの圧力損失を低減することができ、結果として風量低下および騒音を低減することができるという作用を有する。
【００５８】
また、ノズルを、洗浄タンクへ埋没させるように配置したものであり、ノズルの外側に汚れが付かないという作用を有する。
【００５９】
また、油を分解させる洗剤の添加装置を備えたものであり、給水時の水に洗剤を添加することができるという作用を有する。
【００６０】
また、ノズルおよび洗浄タンクへ供給される水を加熱する加熱装置を備えたものであり、水を高温にすることができ、洗浄能力を向上させることができるという作用を有する。
【００６１】
また、給水手段の給水時間、給水量、駆動手段の回転速度や回転時間を制御する制御手段を有することができ、汚れの量に応じた除去を行うことができるという作用を有する。
【００６２】
以下、本発明の実施の形態について図面を参照にしながら説明する。
【００６３】
（実施の形態１）
図１または図２に示すように、調理器（図示せず）の上方または周囲の下面に、調理器から発生する油煙や周囲に浮遊する埃を捕集する吸込口１を設けたフード２を設置し、フード２には、天面に屋外と連通したダクト３を介して連通する吐出口４を設け、内部に送風ケーシング５内に排気ファン駆動モーター８に係合された排気ファン６を配設し、この排気ファン６を介し吸込口１と吐出口４を結ぶ通風路７を形成している。また、フード２内の吸込口１近傍には整流板９が配設され、通風路７内の親水処理がなされた清浄ケーシング１０内に上下移動可能な親水処理がなされた洗浄タンク１２と排気ファン６の前方に駆動モーター１３の回転軸に固着されている油煙や埃を捕集する親水処理がなされたフィルター１１を設けている。また、給水手段１９を設けている。給水手段１９は、油を分解させる効果を有する洗剤の添加装置２０と、加熱装置２１を備えた給水装置１４と、給水パイプ１５により接続された給水口１６および水を噴射するノズルとして親水処理された噴射ノズル１７より構成されている。また、清浄ケーシング１０の下端部に小孔１０ａ、送風ケーシング５の下端部に小孔５ａを形成し、その下方部に廃棄物の回収手段である廃棄物容器１８を設けている。
【００６４】
上記構成において、調理器によって調理する場合、排気ファン６の運転時は、油煙や埃はフード２の吸込口１からフード２内に吸い込まれ、フィルター１１で捕集される。排気ファン６の運転停止後、掃除を行う場合、洗浄タンク１２を上方へと移動させ、すなわち洗浄タンク１２を風路内に配置したフィルター１１の回転軸より下側略半分が洗浄タンク１２に埋没する位置まで移動させ、中性洗剤を給水手段１９に添加し、加熱装置２１により例えば５０℃に過熱された水を給水装置１４により給水口１６から洗浄タンク１２に貯水されるとともに、フィルター１１を洗浄タンク１２内に浸漬させた状態で、駆動モーター１３によってフィルター１１を回転させる。
【００６５】
フィルター１１に付着した汚れには動物性油が含まれており、動物性油は融点が高いもので５０℃程度であるため、例えば５０℃の水を使用することで、より良い洗浄効果を得ることが出来る。フィルター１１に付着した汚れは、フィルター１１に親水処理を施しているため浸漬により剥がれやすくなる。洗浄タンク１２は親水処理が施されており、浸漬により洗浄タンク内に付着した汚れが剥がれやすくなる。そして、フィルター１１を一定時間浸漬、回転させることで、フィルター１１は洗浄される。洗浄後、洗浄タンク１２が下方へ移動し、清浄ケーシング１０の下端部の小孔１０ａより排水されるため、排気ファン６運転時に発生する風により、洗浄タンク１２の内部は乾燥させることができ、清潔に保つことができる。
【００６６】
また、添加装置２０により洗剤を添加し、加熱装置２１により例えば５０℃に過熱された水を給水装置１４により噴射ノズル１７からフィルター１１に噴射させるとともに、駆動モーター１３によってフィルター１１を回転させる。すると、水の噴射及び遠心力により、排気運転時および上記排水時にフィルター１１に再付着した汚れは洗浄され、清浄ケーシング１０の内に回収される。清浄ケーシング１０の内面は、親水処理を施しているので汚れは水と共に下方に流下し、下端部の小孔１０ａ、送風ケーシング５の下端部の小孔５ａを経由し廃棄物容器１８に滴下する。フィルター１１で付着できなかった場合の汚れは、排気ファン６に付着し、排気ファン６自身の回転により送風ケーシング５の内面に回収され、さらに、汚れは下方に流下し、送風ケーシング５の下端部の小孔５ａを経由し廃棄物容器１８に滴下し、回収される。
【００６７】
また、このときの清掃は、汚れの量や前回の清掃時間との間隔によりフィルター１１の回転時間、回転速度を制御する制御手段により自動的に運転可能とした場合でも、その作用効果に差異を生じない。
【００６８】
また、洗浄タンク１２の移動方向も特に限定されるものでなく、レンジフードの使用時は風路を確保するために風路を避けた位置に配置して、フィルターの洗浄時用にフィルターを埋没させるようにする構成として、用途や要求される捕集性能に応じて、例えば左右方向などに移動してもよい。
【００６９】
また、洗浄タンク１２を上下移動可能にしたが、洗浄タンク１２は風路を避けた位置としてフィルター１１の下方に配置しておき、フィルター１１を上下移動可能とした場合でも、その作用効果に差異を生じない。
【００７０】
そして、清浄ケーシング１０、フィルター１１、洗浄タンク１２、噴射ノズル１７の表面処理を撥水処理にする。
【００７１】
上記構成において、排気ファン６の運転停止後、駆動モーター１３によりフィルター１１を回転させることで、フィルター１１は撥水処理を施しているため、遠心力により付着した汚れを飛散させることができ、フィルター１１への汚れのこびりつきを防ぐことができる。さらに、洗浄タンク１２を上方へと移動させ、添加装置２０により洗剤を添加し、加熱装置２１により例えば５０℃に過熱された水を給水装置１４により給水口１６から洗浄タンク１２に貯水されるとともに、フィルター１１を洗浄タンク１２内に浸漬させた状態で、駆動モーター１３によってフィルター１１を回転させることで、容易に洗浄を行うことができる。洗浄後、洗浄タンク１２が下方へ移動し、清浄ケーシング１０の下端部の小孔１０ａより排水されるが、洗浄タンク１２は撥水処理を施しているため、汚れが付着しにくく、洗浄タンク１２の内部がきれいな状態に保たれるため、洗浄タンク１２の掃除を省略することができる。さらに、排気ファン運転時に発生する風により、洗浄タンク１２の内部は乾燥させることができる。
【００７２】
また、添加装置２０により洗剤を添加し、加熱装置２１により例えば５０℃に過熱された水を給水装置１４により噴射ノズル１７からフィルター１１に噴射させるとともに、駆動モーター１３によってフィルター１１を回転させる。すると、水の噴射及び遠心力により、排気運転時および上記排水時にフィルター１１に再付着した汚れは洗浄され、清浄ケーシング１０の内に回収される。噴射ノズル１７は撥水処理を施しているので汚れが付着しにくく、清浄ケーシング１０の内面は、撥水処理を施しているので汚れは水と共に下方に流下し、下端部の小孔１０ａ、送風ケーシング５の下端部の小孔５ａを経由し廃棄物容器１８に滴下する。フィルター１１で付着できなかった場合の汚れは、排気ファン６に付着し、排気ファン６自身の回転により送風ケーシング５の内面に回収され、汚れは下方に流下し、送風ケーシング５の下端部の小孔５ａを経由し廃棄物容器１８に滴下し、回収される。
【００７３】
（実施の形態２）
図３において上記実施の形態１および２と異なるところは、同様のレンジフードにおいて、噴射ノズル１７を洗浄タンク１２へ埋没されるように配置されていることである。
【００７４】
上記構成により、フィルター１１への水の噴射および洗浄タンク１２への水の給水を一体化することができるため、水の給水機構を簡素化でき、省スペース、コストダウンを実現することとなる。
【００７５】
また、噴射ノズル１７には親水処理を施しているため、洗浄時に付着した汚れは水と共に下方に流下し、排出されるため、噴射ノズル１７をきれいな状態に保つことができる。
【産業上の利用可能性】
【００７６】
通風路内にフィルター、洗浄タンクを保持しフィルターを浸漬し、水の噴射と遠心力を加えることで、汚れを取り除く構成により、汚れをフィルターで捕集する排気装置にも適用することができる。
【図面の簡単な説明】
【００７７】
【図１】本発明の実施の形態１のレンジフードを示す構成図
【図２】同フィルターと洗浄タンクの詳細構成図
【図３】本発明の実施の形態２のレンジフードのフィルターと洗浄タンクの詳細構成図
【図４】従来の排気装置を示す構成図
【符号の説明】
【００７８】
１    吸込口
２    フード
６    排気ファン
１０  清浄ケーシング
１１  フィルター
１２  洗浄タンク
１７  噴射ノズル
１９  給水手段
２０  添加装置
２１  加熱装置
【図１】
2008209108.tif 000003
【図２】
2008209108.tif 000004
【図３】
2008209108.tif 000005
【図４】
2008209108.tif 000006